(57)【要約】【課題】  複数のフィルタにより反射された迷光によるゴーストの発生を抑制することができる光学系、それを備えるアクセサリ装置及び撮像装置を提供すること。【解決手段】  夫々が物体の像を形成する複数のレンズ部ＬＡと、複数のレンズ部ＬＡの光軸上に配置される複数のフィルタＦＡとを有する第１の光学部よりも物体側に配置され、第１の光学部に対して共通の光学面を有する第２の光学部ＣＬを備える光学系であって、光学面の法線と第２の光学部ＣＬの光軸との成す角度θ１を適切に設定する。【選択図】  図１
2020071327.tif 000002
【特許請求の範囲】
【請求項１】
夫々が物体の像を形成する複数のレンズ部と該複数のレンズ部の光軸上に配置される複数のフィルタとを有する第１の光学部よりも物体側に配置され、前記第１の光学部に対して共通の光学面を有する第２の光学部を備える光学系であって、
前記複数のフィルタのうちの第１のフィルタにおける第１の点に対して前記第２の光学部の光軸とは反対側から入射する前記物体からの光線と前記光軸との成す角度をω１［ｄｅｇ］、前記第１の点で反射した前記光線が入射する第２の点における前記光学面の法線と前記光軸との成す角度をθ１［ｄｅｇ］、前記第１のフィルタから前記第２の点までの光軸方向における距離をＤ１［ｍｍ］、前記第１の点から前記光軸までの距離をｈ１１［ｍｍ］、前記第１のフィルタの前記光軸の側に隣接する第２のフィルタにおける前記第１のフィルタと対向する端部から前記光軸までの距離をｈ１２［ｍｍ］、Δｈ１＝ｈ１１−ｈ１２とするとき、
【数１】
2020071327.tif 000011
なる条件式を満足することを特徴とする光学系。
【請求項２】
前記第１及び第２のフィルタと同一の平面内における前記第１及び第２のフィルタの間に配置され、前記第２の点で反射した前記光線を遮光する第１の遮光部材を備えることを特徴とする請求項１に記載の光学系。
【請求項３】
前記複数のフィルタよりも前記光軸から遠い位置に配置され、前記第２の点で反射した前記光線を遮光する第２の遮光部材を備えることを特徴とする請求項１又は２に記載の光学系。
【請求項４】
前記光軸に垂直な方向において、前記物体からの光線の前記第１のフィルタにおける前記光軸から最も遠い入射点は、前記第１のフィルタにおける中央から前記光軸の側の端部までの範囲内に位置することを特徴とする請求項１乃至３の何れか一項に記載の光学系。
【請求項５】
前記第２の点における前記光学面の曲率半径をＲ［ｍｍ］、前記第２の点を含む曲率半径Ｒの仮想球面から前記第１のフィルタまでの距離をｄ１［ｍｍ］とするとき、
Ｒ＜ｈ１１／ｔａｎω１−ｄ１
なる条件式を満足することを特徴とする請求項１乃至４の何れか一項に記載の光学系。
【請求項６】
前記第１の点に入射する前記光線は、最軸外光線であることを特徴とする請求項１乃至５の何れか一項に記載の光学系。
【請求項７】
前記第２のフィルタの有効径は、前記第１のフィルタの有効径よりも小さいことを特徴とする請求項１乃至６の何れか一項に記載の光学系。
【請求項８】
前記第１のフィルタの透過波長域の中心波長は、前記第２のフィルタの透過波長域の中心波長よりも長いことを特徴とする請求項１乃至７の何れか一項に記載の光学系。
【請求項９】
前記第１のフィルタは、前記複数のフィルタのうち前記光軸から最も遠い位置に配置されていることを特徴とする請求項１乃至８の何れか一項に記載の光学系。
【請求項１０】
前記光学面は、前記複数のフィルタよりも物体側に配置されたパワーを有する光学面のうち、前記複数のフィルタに最も近い位置に配置される光学面であることを特徴とする請求項１乃至９の何れか一項に記載の光学系。
【請求項１１】
前記光学面は、反射防止構造を含むことを特徴とする請求項１乃至１０の何れか一項に記載の光学系。
【請求項１２】
前記第２のフィルタにおける第３の点に対して前記光軸と同じ側から入射する前記物体からの光線と前記光軸との成す角度をω２［ｄｅｇ］、前記第３の点で反射した前記光線が入射する第４の点における前記光学面の法線と前記光軸との成す角度をθ２［ｄｅｇ］、前記第２のフィルタから前記第４の点までの光軸方向における距離をＤ２［ｍｍ］、前記第１のフィルタにおける前記第２のフィルタと対向する端部から前記光軸までの距離をｈ２１［ｍｍ］、前記第３の点から前記光軸までの距離をｈ２２［ｍｍ］、Δｈ２＝ｈ２１−ｈ２２とするとき、
【数２】
2020071327.tif 000012
なる条件式を満足することを特徴とする請求項１乃至１１の何れか一項に記載の光学系。
【請求項１３】
前記光軸上における前記光学面から前記第２のフィルタまでの距離をｄ２［ｍｍ］とするとき、
１．０×１０−３＜ｄ２／ｈ２１＜２．０
なる条件式を満足することを特徴とする請求項１２に記載の光学系。
【請求項１４】
前記光学面の物体側に隣接する光学面は、像側に向かって凸形状であることを特徴とする請求項１乃至１３の何れか一項に記載の光学系。
【請求項１５】
前記第２の光学部は、前記物体からの光を平行光に変換することを特徴とする請求項１乃至１４の何れか一項に記載の光学系。
【請求項１６】
夫々が物体の像を形成する複数のレンズ部と該複数のレンズ部の光軸上に配置される複数のフィルタとを有する第１の光学部よりも物体側に配置され、前記第１の光学部に対して共通の光学面を有する第２の光学部を備える光学系であって、
前記複数のフィルタのうちの第１のフィルタにおける第１の点に対して前記第２の光学部の光軸と同じ側から入射する前記物体からの光線と前記光軸との成す角度をω［ｄｅｇ］、前記第１の点で反射した前記光線が入射する第２の点における前記光学面の法線と前記光軸との成す角度をθ［ｄｅｇ］、前記第１のフィルタから前記第２の点までの光軸方向における距離をＤ［ｍｍ］、前記第１のフィルタの前記光軸とは反対側に隣接する第２のフィルタにおける前記第１のフィルタと対向する端部から前記光軸までの距離をｈ１［ｍｍ］、前記第１の点から前記光軸までの距離をｈ２［ｍｍ］、Δｈ＝ｈ１−ｈ２とするとき、
【数３】
2020071327.tif 000013
なる条件式を満足することを特徴とする光学系。
【請求項１７】
請求項１乃至１６の何れか一項に記載の光学系を備え、撮像装置に対して着脱可能であることを特徴とするアクセサリ装置。
【請求項１８】
請求項１乃至１６の何れか一項に記載の光学系と、該光学系からの光を受光する撮像素子とを備えることを特徴とする撮像装置。
【請求項１９】
前記撮像素子は、前記第１の光学部に対して共通であることを特徴とする請求項１８に記載の撮像装置。
【請求項２０】
前記撮像素子について、前記第２のフィルタの透過波長域の中心波長に対する感度は、前記第１のフィルタの透過波長域の中心波長に対する感度よりも高いことを特徴とする請求項１８又は１９に記載の撮像装置。
【発明の詳細な説明】
【技術分野】
【０００１】
本発明は、夫々が物体の像を形成する複数のレンズ部を備える光学系に関し、例えばデジタルスチルカメラやビデオカメラ等の撮像装置に好適なものである。
【背景技術】
【０００２】
撮像装置に用いられる光学系として、複数のレンズによって同一の物体（被写体）の複数の像を形成するものが知られている。このような光学系において、複数のレンズの光軸上に互いに異なる透過特性を有する複数のフィルタを設けることで、互いに異なる複数の画像情報を一回の撮像で同時に取得することが可能になる。
【０００３】
特許文献１には、各フィルタよりも像側に配置され、各レンズの有効領域以外に入射する光を遮光する遮光板を有する光学系が記載されている。
【先行技術文献】
【特許文献】
【０００４】
【特許文献１】特許第５９１０７３９号公報
【発明の概要】
【発明が解決しようとする課題】
【０００５】
しかしながら、特許文献１に記載の遮光板では、一部のフィルタにより反射され、さらに各フィルタよりも物体側に配置された光学面で反射された迷光を遮光することができない。このような迷光が他のフィルタを介して撮像素子に入射すると、取得される画像情報にゴーストが生じてしまう。
【０００６】
本発明は、複数のフィルタにより反射された迷光によるゴーストの発生を抑制することができる光学系、それを備えるアクセサリ装置及び撮像装置を提供することを目的とする。
【課題を解決するための手段】
【０００７】
上記目的を達成するための、本発明の一側面としての光学系は、夫々が物体の像を形成する複数のレンズ部と該複数のレンズ部の光軸上に配置される複数のフィルタとを有する第１の光学部よりも物体側に配置され、前記第１の光学部に対して共通の光学面を有する第２の光学部を備える光学系であって、前記複数のフィルタのうちの第１のフィルタにおける第１の点に対して前記第２の光学部の光軸とは反対側から入射する前記物体からの光線と前記光軸との成す角度をω１［ｄｅｇ］、前記第１の点で反射した前記光線が入射する第２の点における前記光学面の法線と前記光軸との成す角度をθ１［ｄｅｇ］、前記第１のフィルタから前記第２の点までの光軸方向における距離をＤ１［ｍｍ］、前記第１の点から前記光軸までの距離をｈ１１［ｍｍ］、前記第１のフィルタの前記光軸の側に隣接する第２のフィルタにおける前記第１のフィルタと対向する端部から前記光軸までの距離をｈ１２［ｍｍ］、Δｈ１＝ｈ１１−ｈ１２とするとき、以下の条件式を満足することを特徴とする。
【０００８】
【数１】
2020071327.tif 000003
【発明の効果】
【０００９】
本発明によれば、複数のフィルタにより反射された迷光によるゴーストの発生を抑制することができる光学系、それを備えるアクセサリ装置及び撮像装置を提供することができる。
【図面の簡単な説明】
【００１０】
【図１】実施形態に係る撮像システムの要部概略図。
【図２】フィルタにより反射された迷光の光路を説明するための図。
【図３】実施形態に係る光学系の第１の模式図。
【図４】フィルタにおける光線の入射点の位置と迷光の関係を示す図。
【図５】実施形態に係る光学系の第２の模式図。
【図６】実施形態に係る光学系の第３の模式図。
【図７】実施形態に係る光学系の第４の模式図。
【図８】実施例１に係る光学系の要部概略図。
【図９】実施例２に係る光学系の要部概略図。
【図１０】実施例３に係る光学系の要部概略図。
【発明を実施するための形態】
【００１１】
以下、本発明の好ましい実施形態について図面を参照しながら説明する。なお、各図面は、便宜的に実際とは異なる縮尺で描かれている場合がある。また、各図面において、同一の部材については同一の参照番号を付し、重複する説明を省略する。
【００１２】
図１は、本発明の実施形態に係る撮像システム１００の要部概略図（模式図）である。図１（ａ）は、後述する複数のレンズ部のうちの一部の光軸を含む断面（ＹＺ断面）を示している。ここでの光軸とは、各レンズ部における各光学面（各レンズ面）の中心（頂点）を通る軸を指す。図１（ａ）においては、各レンズ部の軸上像高に集光される軸上光束のマージナル光線を示している。また、図１（ｂ）は、後述するフィルタアレイＦＡを物体側（−Ｚ側）から見たときの正面図である。なお、撮像対象となる不図示の物体は、撮像システム１００の物体側に配置されているものとする。
【００１３】
撮像システム１００は、像側（＋Ｚ側）から順に配置された、撮像装置（カメラユニット）１０、光学装置（アレイユニット）２０、アダプタ装置（アダプタユニット）３０、及びレンズ装置（レンズユニット）４０を有する。
【００１４】
撮像装置１０は、光学装置２０の像面に配置される撮像面（受光面）を含む撮像素子（受光素子）１１と、撮像素子１１を保持する保持部材（筐体）１を備える。撮像素子１１としては、ＣＣＤセンサやＣＭＯＳセンサなどの光電変換素子を採用することができる。また、撮像素子１１は、可視光に限らず赤外光（近赤外光や遠赤外線光）などを光電変換できるように構成されていてもよい。例えば、使用波長帯域に応じて、Ｓｉ、ＩｎＧａＡｓ、ＩｎＡｓＳｂなどの材料を用いた撮像素子を採用してもよい。また、撮像素子１１の画素数は、撮像システム１００において求められる分解能に基づいて決定することが望ましい。
【００１５】
光学装置２０は、光学系と、該光学系を保持する保持部材（鏡筒）２を備える。本実施形態に係る光学系は、夫々が物体の像を形成する複数のレンズ部を有するレンズアレイＬＡと、各レンズ部の光軸上に配置される複数のフィルタを有するフィルタアレイＦＡを備える。図１（ｂ）に示すように、フィルタアレイＦＡにおける複数のフィルタは、アダプタ装置３０及びレンズ装置４０の光軸（主光軸）ＡＸ０に垂直なＸ方向及びＹ方向に配列された複数のフィルタを含んでいる。
【００１６】
本実施形態に係る複数のレンズ部の夫々は、１枚以上のレンズで構成されており、夫々が物体を撮像素子１１の撮像面に結像する。言い換えると、レンズアレイＬＡの像面には、複数のレンズ部によって物体の複数の像（像アレイ）が形成される。すなわち、レンズアレイＬＡによれば、同一の物体の像を複製することができる。なお、複数のレンズ部は、製造や配置を容易にするために一体的に形成されていてもよく、あるいは個別の位置調整（フォーカス調整など）を可能にするために別体で形成されていてもよい。
【００１７】
本実施形態に係る複数のフィルタ（光学フィルタ）は、互いに異なる透過特性を有する複数のフィルタを含んでいる。ここでの透過特性とは、透過させる光の波長帯域（透過波長域）、透過させる偏光の方向や種類（偏光状態）、入射光の強度に対する透過光の強度（透過率）などを含む、入射光の状態を変化させる光学特性のことである。すなわち、フィルタアレイＦＡは、互いに種類が異なる複数の偏光フィルタや、互いに透過率が異なる複数のフィルタなどを含んでいてもよい。フィルタアレイＦＡを互いに異なる透過特性を有する複数のフィルタで構成することにより、同一の物体に対して互いに異なる複数の画像情報を同時に取得することが可能になる。
【００１８】
具体的に、互いに透過波長域の中心波長が異なる複数のフィルタ（バンドパスフィルタ）を用いることで、複数の波長帯域に対応する複数の画像情報を同時に取得することができる。このとき、撮像システム１００を、一般的なカメラの波長帯域（ＲＧＢ）よりも多い４種類以上の波長帯域に対応する画像情報を取得することができるマルチスペクトルカメラとして構成することが望ましい。さらに、撮像システム１００を、１００種類以上の波長帯域に対応する画像情報を取得することができるハイパースペクトルカメラとして構成することがより好ましい。なお、バンドパスフィルタの代わりに、入射光の波長を変換して射出する波長変換フィルタを用いてもよい。
【００１９】
あるいは、互いに種類が異なる複数の偏光フィルタを用いることで、複数の偏光状態に対応する複数の画像情報を同時に取得することができる。例えば、Ｘ方向（水平方向）、Ｙ方向（垂直方向）、Ｘ方向及びＹ方向に対して４５°の方向、の夫々に平行な方向の直線偏光を透過させる三つの直線偏光フィルタと、円偏光を透過させる円偏光フィルタを用いる場合が考えられる。このように、入射光の偏光状態を変化させる複数の種類の偏光フィルタを用いることで、物体の偏光特性（ストークスパラメータ）や、物体の偏光状態の２次元分布などの偏光情報を取得することができる。
【００２０】
また、透過特性の種類が異なる複数のフィルタでフィルタアレイＦＡを構成することで、波長情報、偏光情報、輝度情報、視差情報などの異なる種類の情報を同時に取得できるようになる。このとき、互いに異なる種類の複数のフィルタの夫々を、互いに異なるレンズ部の光軸上に配置した構成に限らず、同一の光軸上に配置した構成を採ってもよい。後者の場合、取得した画像情報を不図示の画像処理部によってフィルタリングすることで、異なる種類の画像情報に分離することができる。
【００２１】
また、一般的に可視波長帯域で使用されるシリコン材料で構成される撮像素子１１は、短波長帯域（４５０ｎｍ以下）及び長波長帯域（７５０ｎｍ以上）よりも中心波長帯域（５５０ｎｍ近傍）に対する感度の方が高いという感度特性を有している。よって、これらの各波長帯域に対応する複数のバンドパスフィルタを用いる場合、中心波長帯域に対応するバンドパスフィルタが配置されている光軸上に減光フィルタを配置することが好ましい。このとき、偏光フィルタを減光フィルタとして用いることで、各画像情報の輝度のバランスを補正することだけでなく、波長情報及び偏光情報を同時に取得することが可能になる。
【００２２】
なお、フィルタアレイＦＡは、少なくとも透過波長域の中心波長が互いに異なる二つのフィルタを含んでいればよい。言い換えると、フィルタアレイＦＡは、透過特性が互いに同一である複数のフィルタを含んでいてもよい。例えば、撮像システム１００を測距装置（ステレオカメラ）として用いる場合、視差が互いに異なる二つの画像情報を用いて物体の距離情報を取得するため、各画像情報に対応する二つのフィルタの透過特性を略同等とすることが望ましい。ただし、互いに異なる複数の画像情報を一回の撮像でより多く取得するためには、複数フィルタの全ての透過特性を互いに異ならせることが望ましい。
【００２３】
本実施形態に係るフィルタアレイＦＡは、図１（ｂ）に示したように、Ｘ方向及びＹ方向に配列された９個のフィルタＦ１１〜Ｆ３３を備えている。また、レンズアレイＬＡは、９個のフィルタに対応する９個のレンズ部を備えている。すなわち、同一の光軸上に配置されたレンズ部及びフィルタをまとめて一つの結像部であるとすると、光学装置２０は９個の結像部を備えていることになる。複数の結像部をまとめて結像部アレイ（第１の光学部）とも呼ぶ。
【００２４】
なお、結像部の数はこれに限られるものではなく、光学装置２０は少なくとも第１の方向に配列された三つの結像部を備えていればよい。ただし、一回の撮像でより多くの透過特性に対応する画像情報を取得するためには、結像部を四つ以上設けることが望ましく、本実施形態のように結像部を九つ以上設けることがより好ましい。物体からの光は、レンズアレイＬＡ及びフィルタアレイＦＡを順に介して撮像素子１１の撮像面に到達する。このとき、撮像面には、各結像部に応じた９個の像（複製像）が形成される。
【００２５】
なお、撮像装置１０の小型化のためには、本実施形態に係る撮像素子１１のように、各レンズ部に対して共通の（単一の）撮像素子を設けることが望ましい。また、各レンズ部に対して共通の撮像素子を用いることで、光学装置２０の交換によってレンズ部の数や配置が変化した場合にも、良好な画像情報を取得することができる。このとき、撮像素子１１の利用効率を向上させるためには、撮像素子１１を構成する複数の画素（フォトダイオード）をできるだけ隙間なく均一に配置することが望ましい。
【００２６】
ただし、必要に応じて、各レンズ部に対して個別に撮像素子を設けてもよい。この場合、装置全体の小型化のためには、各撮像素子をできるだけ隙間なく均一に配置することが望ましい。また、光学装置２０の小型化のためには、撮像素子１１の撮像面の形状に合わせて各レンズ部を配置することが望ましい。具体的には、ＸＹ断面において各レンズ部を正方配置することが望ましい。なお、撮像素子１１の撮像面が正方形でない場合は、各レンズ部の配置のアスペクト比などを変更してもよい。
【００２７】
レンズアレイＬＡ及びフィルタアレイＦＡの光軸方向における配置の順番は、図１（ａ）に示したものに限られない。例えば、干渉型のバンドパスフィルタを用いる場合は、その角度特性（角度依存性）を鑑みて、各フィルタに対する光の入射角が小さくなるように、フィルタアレイＦＡをレンズアレイＬＡよりも物体側に配置することが好ましい。ただし、レンズアレイＬＡにおける各レンズ部が十分なテレセントリック性を有している場合は、フィルタアレイＦＡがレンズアレイＬＡよりも像側（＋Ｚ側）に配置されていたとしても、各フィルタに対する光の入射角を小さくすることができる。
【００２８】
また、フィルタアレイＦＡがレンズアレイＬＡよりも物体側に配置されている場合、レンズアレイＬＡに入射する軸外光線の欠け（ヴィネッティング）が発生してしまう可能性がある。よって、例えば吸収型のバンドパスフィルタなどの角度依存性が小さいフィルタを用いる場合や、フィルタの角度依存性よりも光利用効率を優先する場合には、フィルタアレイＦＡをレンズアレイＬＡよりも像側に配置することが好ましい。
【００２９】
本実施形態においては、レンズアレイＬＡ及びフィルタアレイＦＡを保持部材２によって一体的に保持することで、夫々の相対位置のずれを抑制している。また、保持部材２は、撮像装置１０と結合するための第１のマウント部２１を有している。これにより、光学装置２０をアクセサリ装置として、第１のマウント部２１を介して撮像装置１０に着脱可能とすることができる。すなわち、撮像装置１０に対して、レンズアレイＬＡ及びフィルタアレイＦＡを一体的に保持しつつ同時に交換することが可能になる。
【００３０】
この構成によれば、レンズアレイＬＡ及びフィルタアレイＦＡの相対位置のずれを抑制しつつ、取得する画像情報の種類や解像度を変更することができる。具体的には、フィルタアレイＦＡを透過特性が異なるものに交換する際に、同時にレンズアレイＬＡを各フィルタアレイに対応する（最適化された）ものに交換することができる。これにより、各レンズの収差やピントの変化を抑制することができる。また、レンズアレイＬＡをレンズ部の数が異なるものに交換することで、撮像システム１００の解像度を変更することができる。この場合にも、同時にフィルタアレイＦＡを各レンズアレイに対応するものに交換することができる。
【００３１】
このように、本実施形態に係る撮像システム１００によれば、取得したい画像情報に応じて光学装置２０を交換することができる。特に、レンズアレイＬＡが交換可能であるため、レンズ部の数を増減させることで、画像情報の種類（バンド数など）や解像度を増減させることができる。そして、レンズアレイＬＡ及びフィルタアレイＦＡを一体的に交換可能であるため、交換時の光学性能の変化を抑制することができる。これにより、光学装置２０の構成によらず、共通の撮像装置１０によって複数の良好な画像情報を同時に取得することが可能になる。
【００３２】
第１のマウント部２１の形状は、撮像装置１０に設けられたマウント部１３に対応する形状とすればよい。例えば、光軸方向（Ｚ方向）から見たときに撮像面を囲む円周上に設けられた結合部（凸部や凹部、磁石など）を第１のマウント部２１として採用することができる。図１（ａ）においては、第１のマウント部２１を凹部として示し、撮像装置１０のマウント部１３を凸部として示しているが、各マウント部の形状はこれに限られるものではない。また、第１のマウント部２１に、撮像装置１０と電気的に接続するための電気接点（端子）を設けることが好ましい。これにより、光学装置２０は電気接点を介して撮像装置１０と通信を行ったり撮像装置１０から電力を受給したりすることが可能になる。
【００３３】
なお、図１（ａ）に示すように、保持部材２は、像側に設けられる第１のマウント部２１だけでなく、物体側に設けられる第２のマウント部２２を有していてもよい。これにより、光学装置２０に対してレンズ装置４０やアダプタ装置３０などのアクセサリ装置を着脱可能とすることができる。図１（ａ）においては、第２のマウント部２２を凸部として示しているが、第２のマウント部２２の形状はこれに限られず、装着されるアクセサリ装置におけるマウント部の形状に応じて設定すればよい。なお、第２のマウント部２２についても、アクセサリ装置に対して通信や電力の受供給を行うための電気接点を設けることが好ましい。
【００３４】
なお、光学装置２０を撮像装置１０に装着する際に、夫々のマウント部の製造の精度によっては取り付け誤差が生じ、レンズアレイＬＡ及びフィルタアレイＦＡと撮像素子１１との位置関係に誤差が生じる可能性がある。このような誤差が生じた場合、撮像素子１１の撮像面に対するレンズアレイＬＡのピントずれ（デフォーカス）が生じてしまう。そこで、レンズアレイＬＡを光軸方向に移動するための移動機構を設け、レンズアレイＬＡのピントを調整できるように構成することが望ましい。
【００３５】
あるいは、レンズアレイＬＡの代わりに撮像素子１１を光軸方向に移動するための移動機構を設け、撮像素子１１の移動によるピント調整（センサフォーカス）ができるように構成してもよい。なお、光学装置２０の取り付け誤差によりレンズアレイＬＡの像面が撮像面に対して傾き、像面湾曲やレンズ部ごとに異なるピントずれが生じてしまう可能性がある。よって、撮像素子１１の光軸に対する傾き（チルト角）を変更することができるように構成することが好ましい。さらに、撮像素子１１を光軸に垂直な方向の成分を含む方向に移動させることで、像ブレ補正（手振れ補正）を行うことができるようにしてもよい。
【００３６】
レンズアレイＬＡにおける各レンズ部の全てに、同一形状のレンズ面を含ませることが望ましい。これにより、各レンズ部の製造が容易になり、レンズアレイＬＡのコストを削減することができる。このとき、各レンズ部の形状を互いに同一にすることがより好ましいが、必要に応じて各レンズ部の形状を互いに異ならせてもよい。また、各レンズ部を光軸上に配置された複数のレンズで構成することで、色収差をより良好に補正することができるようにしてもよい。なお、各フィルタの透過波長域の差（撮像システム１００の使用波長帯域）が大きく、色収差の補正が難しい場合は、各レンズを個別に移動させることで夫々の結像位置（軸上色収差）を調整してもよい。
【００３７】
本実施形態に係るレンズ装置４０は、光学装置２０の各結像部に対して共通である１枚以上のレンズを有する光学系ＯＬと、光学系ＯＬを保持する保持部材（鏡筒）４を備えている。レンズ装置４０は、撮像システム１００の画角（撮像画角）を変換する役割を果たしている。すなわち、レンズ装置４０を光学系ＯＬの構成が異なるものに交換することで、様々な画角に対応する画像情報を取得することができる。なお、レンズ装置４０を用いずに、レンズアレイＬＡにおける各レンズ部を複数のレンズ群で構成し、隣接するレンズ群の間隔を変更可能とすることで、撮像システム１００の画角を変更することも可能である。しかし、その場合はレンズアレイＬＡの製造及び制御の難易度が高くなり、かつ光学装置２０の構成が複雑化及び大型化してしまう。
【００３８】
よって、光学装置２０の簡素化及び小型化のためには、本実施形態のようにレンズ装置４０の交換によって撮像システム１００の画角を変更できるように構成すること望ましい。なお、レンズ装置４０における光学系ＯＬを構成する少なくとも１枚のレンズを移動可能とすることで、ピント調整（フォーカシング）を行うようにしてもよい。また、光学系ＯＬを複数のレンズ群で構成して隣接するレンズ群の間隔を変更し、撮像システム１００の焦点距離を変更することで、画角や結像倍率を調整できるようにしてもよい。
【００３９】
本実施形態に係るアダプタ装置３０は、光を拡散させる拡散素子ＤＦと、光学装置２０の各結像部（第１の光学部）に対して共通である１枚以上のレンズを有する光学系（第２の光学部）ＣＬと、拡散素子ＤＦ及び光学系ＣＬを保持する保持部材３を備えている。拡散素子ＤＦは、レンズ装置４０により形成される中間像面（一次結像面）の位置に配置されており、スクリーンとしての役割を果たしている。拡散素子ＤＦとしては、拡散面（粗面）を有する拡散部材（拡散板）や、複数の微細なレンズで構成されるマイクロレンズアレイなどを採用することができる。光学系ＣＬは、拡散素子ＤＦからの光を平行光に変換して光学装置２０に導光するコリメータ光学系としての機能を有する。ただし、ここでの平行光とは、厳密な平行光に限らず、略平行光（弱発散光や弱収束光）を含むものとする。
【００４０】
上述したように、干渉型のバンドパスフィルタの透過波長には角度依存性が存在しており、一般的には長波長側に行くほど透過波長域の中心波長の変動が大きくなる。また、バンドパスフィルタが主光軸ＡＸ０から離れた位置に配置されている場合、そのバンドパスフィルタに入射する光の角度が大きくなりやすいため、透過波長域の中心波長の変動角度が大きくなる可能性がある。そこで、アダプタ装置３０によってフィルタアレイＦＡに入射する光を平行光とすることで、各フィルタに対する光の入射角が位置によらず略等しくなるため、各フィルタの配置による角度依存性の変化を抑制することができる。
【００４１】
レンズ装置４０における保持部材４及びアダプタ装置３０における保持部材３は、互いに結合するためのマウント部４１及びマウント部３１を有している。これにより、アダプタ装置３０を介してレンズ装置４０を光学装置２０に着脱可能とすることができる。また、アダプタ装置３０における保持部材３は、光学装置２０の第２のマウント部２２と結合するためのマウント部３３を有している。これにより、各マウント部を介してアダプタ装置３０を光学装置２０に着脱可能とすることができる。このとき、レンズ装置４０が撮像装置１０及び光学装置２０に直接着脱することができない場合であっても、アダプタ装置３０を介することで間接的に着脱することが可能になる。
【００４２】
ただし、光学装置２０の第１のマウント部２１とレンズ装置４０のマウント部４１とを同じ形状とし、撮像装置１０のマウント部１３とアダプタ装置３０のマウント部３１とを同じ形状とすることが望ましい。言い換えると、撮像装置１０に対して着脱可能なレンズ装置４０が、アダプタ装置３０にも着脱可能である構成とすることが望ましい。これにより、一般的なカメラとしての撮像装置１０及び一般的な交換レンズとしてのレンズ装置４０を用いて、複数の画像情報を一回の撮像で同時に取得できる撮像システムを構成することが可能になる。
【００４３】
また、本実施形態に係る撮像システム１００は、アダプタ装置３０を用いることで光学装置２０に平行光が入射する構成を採っている。これにより、本実施形態に係る光学装置２０を物体の中間像を形成しないレンズ装置に対しても適用することが可能になる。よって、光学装置２０、アダプタ装置３０、及びレンズ装置４０の夫々の互換性を確保するために、各装置のマウント部の形状は、夫々の光学系の構成にかかわらず同一の形状とすることが望ましい。
【００４４】
なお、本実施形態のレンズ装置４０のように物体の中間像を形成するレンズ装置を用いる場合は、その中間像面の位置に視野絞りを配置することが望ましい。これにより、撮像素子１１の撮像面に形成される各像の境界の形状やサイズを適切に設定することができる。例えば、各結像部からの光が撮像面において互いに干渉する場合は、視野絞りに設けられる開口のサイズ（開口径）を小さくすればよい。このとき、撮像素子１１の利用効率を向上させるためには、視野絞りの開口の形状を、撮像面を等分割することができる矩形などの形状とすることが望ましい。
【００４５】
また、撮像面における各像の境界は、視野絞りを中間像面の位置に近づける程明確になるため、本実施形態のように中間像面の位置に拡散素子ＤＦを配置する場合は、視野絞りを拡散素子ＤＦに密着するように配置することが好ましい。このとき、拡散素子ＤＦが厚みを持つ場合は、拡散素子ＤＦの内部での散乱の影響を低減するために、視野絞りを拡散素子ＤＦの像側に配置することがより好ましい。本実施形態においては、拡散素子ＤＦの中央部（矩形部）以外に遮光部材（遮光塗料）を設けることで、拡散素子ＤＦに視野絞りとしての機能を持たせることができる。あるいは、視野絞りを構成する遮光部材に設けられる開口部に拡散素子ＤＦを配置することで、視野絞りと拡散素子ＤＦとを一体的に構成してもよい。
【００４６】
中間像面の位置に拡散素子ＤＦを配置した場合、レンズ装置４０からの光は拡散素子ＤＦによって拡散されるため、レンズ装置４０からの光の入射角に関する情報が失われ、各像における視差の発生を抑制することができる。ただし、本実施形態に係る撮像システム１００を測距装置として用いる場合、各像の視差を用いて物体までの距離に関する情報を取得するため、レンズ装置４０からの光の入射角に関する情報を残しておく必要がある。その場合は、視野絞りの直前に拡散素子ＤＦの代わりにフィールドレンズとしての正レンズを配置することで、入射角に関する情報を残しつつ本実施形態と同様の機能を実現することができる。
【００４７】
なお、本実施形態に係る撮像システム１００においては、各装置（各光学系）及び撮像装置１０を互いに着脱可能としているが、夫々を一体化することで互いの取り付け誤差の発生を抑制してもよい。例えば、光学装置２０とレンズ装置４０とを一体的に構成することで、撮像装置１０に対して着脱可能な一つのレンズ装置（アクセサリ装置）としてもよい。あるいは、光学装置２０とアダプタ装置３０とを一体的に構成することで、撮像装置１０及びレンズ装置４０に対して着脱可能な一つのアダプタ装置（アクセサリ装置）としてもよい。
【００４８】
次に、撮像システム１００における処理系について説明する。上述したように、撮像素子１１から出力される画像情報の特性は、撮像装置１０に装着される光学装置２０の構成によって変化する。よって、撮像装置１０にどのような光学装置２０が装着されたとしても、画像情報を適切に処理するためのシステムを実現することが望ましい。具体的に、光学装置２０は、撮像装置１０に対して情報を送受信するための通信部や、撮像装置１０との接続を認識するための認識部を備えていることが好ましい。
【００４９】
図１（ａ）では、撮像装置１０が処理部１２を有し、光学装置２０が処理部２３を有する場合を示している。処理部１２は、少なくとも通信部及び認識部としての機能を備えている。処理部２３は、少なくとも通信部（記憶部）としての機能を備えている。処理部１２及び処理部２３は、撮像装置１０に光学装置２０が装着された際に互いに電気的に接続され、相互に情報（信号）を送受信することができる。処理部１２及び処理部２３は、撮像装置１０及び光学装置２０の夫々のマウント部に設けられた電気接点を介して情報を送受信することができる。ただし、各マウント部に電気接点が設けられていない場合などは、例えば光通信などの無線通信を行ってもよい。
【００５０】
処理部２３は光学装置２０に関する固有情報を記憶しており、処理部１２はその固有情報を受信することによって光学装置２０が撮像装置１０に装着されたことを認識する。光学装置２０の固有情報は、例えばレンズアレイＬＡ及びフィルタアレイＦＡの夫々に関する識別番号などの識別子（ＩＤ）又はレンズアレイＬＡ及びフィルタアレイＦＡの組み合わせに関する識別子である。処理部２３は、受信した固有情報に基づいて、光学装置２０の種別や個体を認識することができる。
【００５１】
本実施形態に係る撮像システム１００においては、撮像装置１０が電源を有しており、光学装置２０は電源を有していないため、撮像装置１０における処理部１２によって光学装置２０の装着を認識することが望ましい。この場合、処理部２３は、固有情報を記憶する記憶部（通信部）としての機能だけを有することになる。ただし、処理部１２及び処理部２３が無線通信を行う場合は、撮像装置１０及び光学装置２０の夫々に電源を設け、夫々が個別に認識を行う構成を採ってもよい。
【００５２】
処理部１２は、画像処理部（プロセッサ）としての機能も備えており、受信した固有情報に応じて、撮像素子１１から出力される画像情報を処理する。このとき、予め光学装置２０におけるレンズアレイＬＡの情報（レンズ部の数や配置など）やフィルタアレイＦＡの情報（フィルタの透過特性や配置など）と固有情報を紐づけて、データテーブルとして処理部１２又は外部装置に記録しておくことが望ましい。これにより、処理部１２は、受信した固有情報をデータテーブルに照らし合わせることで、どのような構成（特性）の光学装置２０が装着されたのかを認識することができる。
【００５３】
なお、必要に応じて、上述したようなレンズアレイＬＡやフィルタアレイＦＡの情報そのものを固有情報として処理部２３に記録しておき、処理部１２が処理部２３からその情報を取得するように構成してもよい。ただし、光学装置２０の簡素化及び小型化のためには、処理部２３に記録しておく情報は、上述したように光学装置２０の種別や個体を弁別するための識別番号などの最小限のものとすることが望ましい。
【００５４】
例えば、フィルタアレイＦＡがバンドパスフィルタで構成されている場合、処理部１２はレンズアレイＬＡ及びフィルタアレイＦＡの情報に基づいて、撮像素子１１から出力される一つの画像情報を適切に分割及び再配列する。これにより、バンドパスフィルタに対応する波長帯域ごとの複数の画像情報（マルチスペクトル画像）を生成することができる。このとき、必要に応じて、複数の画像情報を重ね合わせる（再合成する）ことで、１枚のマルチスペクトル画像を生成してもよい。
【００５５】
なお、撮像素子１１から出力される画像情報を外部装置に送信することで、処理部１２ではなく外部装置によって上述したような画像処理を行うように構成してもよい。この場合、光学装置２０の情報と画像情報との対応関係をわかりやすくするために、処理部２３が記憶している情報を画像情報に付加してから外部装置に送信することが好ましい。あるいは、処理部２３を外部装置として撮像装置１０の外部に設けてもよい。
【００５６】
また、レンズ装置４０は、光学装置２０における処理部２３と同様の処理部４２を備えていることが望ましい。処理部４２は、レンズ装置４０に関する固有情報を記憶しており、その固有情報を光学装置２０における処理部２３を介して、又は直接撮像装置１０における処理部１２に送信することができる。処理部１２は、レンズ装置４０の固有情報に基づいて、レンズ装置４０の種別や個体を認識することができる。処理部１２は、レンズ装置４０の固有情報及び光学装置２０の少なくとも一方の固有情報に応じて、撮像素子１１から出力される画像情報を処理することができる。
【００５７】
また、アダプタ装置３０は、光学装置２０における処理部２３と同様の処理部３４を備えていることが望ましい。処理部３４は、アダプタ装置３０に関する固有情報を記憶しており、その固有情報を光学装置２０における処理部２３を介して、又は直接撮像装置１０における処理部１２に送信することができる。処理部１２は、アダプタ装置３０の固有情報に基づいて、レンズ装置４０の種別や個体を認識することができる。また、処理部１２は、レンズ装置４０、アダプタ装置３０、及び光学装置２０の少なくとも一つの固有情報に応じて、撮像素子１１から出力される画像情報を処理することができる。このとき、レンズ装置４０の固有情報を用いて、レンズ装置４０で生じる収差による画像情報への影響を補正してもよい。
【００５８】
次に、フィルタアレイＦＡにより反射された迷光について説明する。図２は、不図示のレンズ装置の像面ＩＰ１（中間像面ＩＭ１）からの光線が光学系ＣＬ、フィルタアレイＦＡ、及びレンズアレイＬＡを介して最終結像面である像面ＩＰ２に入射する様子を示す模式図である。なお、光学系ＣＬよりも物体側にレンズ装置が配置されない場合、中間像面ＩＭ１の位置に被写体が配置され、像面ＩＰ１は物体面になる。以下では、中間像面ＩＭ１から出射する光線のうち光線ＩＬに着目する。
【００５９】
中間像面ＩＭ１から出射した光線ＩＬは、光学系ＣＬを介してフィルタアレイＦＡのうちのフィルタＦ１における点Ｐ１１に入射する。このとき、光線ＩＬの一部は、点Ｐ１１で反射して光学系ＣＬの光学面における点Ｐ１２に戻ってしまう。特に、フィルタＦ１が干渉型のバンドパスフィルタである場合、フィルタＦ１の透過波長域以外の光線（像ＩＡ１の結像に寄与しない光線）の略全ては、フィルタＦ１で反射してしまう。図２では、光線ＩＬのうち結像に寄与する有効光線（結像光線）を実線で示し、点Ｐ１１で反射した迷光を破線で示している。
【００６０】
点Ｐ１２に入射した迷光のうち、多くは光学系ＣＬを介して物体側へ向かうが、一部は点Ｐ１２で再度反射してフィルタアレイＦＡに再入射してしまう。図２では、点Ｐ１２で反射した迷光がフィルタＦ１に隣接するフィルタＦ２に入射する場合を示している。フィルタＦ２に入射する迷光のうちフィルタＦ２の透過波長域の光線は、像面ＩＰ２に到達し、有効光線により形成される像ＩＡ２に重畳してしまう。この場合、取得される画像情報において、迷光が像ＩＡ２の上に重なったゴーストとして現れしまい、画像情報の画質の劣化を引き起こす可能性が生じる。あるいは、画像情報を用いて分光情報を取得する場合、像ＩＡ２に不要な輝度が加算されてしまい、良好な分光情報が得られなくなる（分光精度が低下する）。
【００６１】
そこで、本実施形態においては、光学系ＣＬ及びフィルタアレイＦＡを適切に配置することにより、フィルタアレイＦＡにより反射された迷光によるゴーストの発生を抑制している。以下、本実施形態に係る光学系ＣＬ及びフィルタアレイＦＡの具体的な配置について詳細に説明する。
【００６２】
図３は、光学系ＣＬにおける光学面ＣＬＲ２及びフィルタアレイＦＡの一部を拡大して示した模式図である。図３では、物体側からの光線のうち、フィルタＦ１（第１のフィルタ）における点Ｐ１１（第１の点）に対して主光軸ＡＸ０とは反対側（上側）から入射する光線ＩＬ１の光路を示している。フィルタＦ１〜Ｆ４と同一の平面内において、隣接するフィルタの間には、光を遮光する遮光壁（第１の遮光部材）ＡＢが配置されている。
【００６３】
点Ｐ１１に入射した光線ＩＬ１のうちフィルタＦ１の透過波長域以外の光線は、点Ｐ１１で反射して光学面ＣＬＲ２における点Ｐ１２（第２の点）に入射する。ここで、点Ｐ１１に入射する光線ＩＬ１と主光軸ＡＸ０との成す角度（フィルタＦ１に対する光線ＩＬ１の入射角）をω１［ｄｅｇ］とするとき、反射の法則よりフィルタＦ１に対する光線ＩＬ１の反射角もω１［ｄｅｇ］となる。
【００６４】
点Ｐ１２に入射した光線ＩＬ１の一部は、反射してフィルタアレイＦＡにおける点Ｐ１３に入射する。点Ｐ１２における光線ＩＬ１の反射角は、点Ｐ１２における光学面ＣＬＲ２の法線と主光軸ＡＸ０との成す角度（点Ｐ１２の法線角）θ１［ｄｅｇ］によって決まる。例えば、法線角θ１が０［ｄｅｇ］である場合、点Ｐ１２における光学面ＣＬＲ２の法線と主光軸ＡＸ０（フィルタアレイＦＡの面法線）とは平行になるので、点Ｐ１２における光線ＩＬ１の反射角はω１［ｄｅｇ］である。
【００６５】
一方、法線角θ１が０［ｄｅｇ］よりも大きい場合、すなわち点Ｐ１２における光学面ＣＬＲ２の法線が主光軸ＡＸ０に対して傾いた場合は、反射の法則より、点Ｐ１２における光線ＩＬ１の反射角がω１に対して法線角θ１の２倍の角度だけ変化する。よって、点Ｐ１２で反射した光線ＩＬ１と主光軸ＡＸ０との成す角度はω１−２×θ１となる。
【００６６】
画像情報におけるゴーストの発生を抑制するためには、フィルタＦ１の点Ｐ１１で反射した光線ＩＬ１（迷光）が他のフィルタに入射しないようにすればよい。すなわち、点Ｐ１２で反射した光線ＩＬ１が入射する点Ｐ１３が、フィルタＦ１以外のフィルタの有効領域外に位置していればよい。ただし、ここでの有効領域とは、各フィルタにおける物体の結像に寄与する有効光線が通過する領域（フィルタアレイＦＡの開口部）のことである。本実施形態においては、特に断りがない限り、「フィルタ」は「フィルタの有効領域」を指すものとする。
【００６７】
そこで、本実施形態では、点Ｐ１３がフィルタＦ１の主光軸ＡＸ０の側（下側）に隣接するフィルタＦ２（第２のフィルタ）よりも主光軸ＡＸ０とは反対側（上側）に位置するように、光学系ＣＬ及びフィルタアレイＦＡを配置している。図３に示すように、フィルタＦ１とフィルタＦ２との間には遮光壁ＡＢが配置されているため、点Ｐ１２で反射した光線ＩＬ１が像面ＩＰ２に到達することを抑制することができる。なお、遮光壁ＡＢの代わりに、フィルタアレイＦＡよりも物体側又は像側に遮光部材を配置してもよい。ただし、フィルタアレイＦＡに隣接するレンズアレイＬＡでの迷光の反射を抑制するため、及び各フィルタ及び遮光壁ＡＢとの相対位置を良好に保つためには、遮光壁ＡＢを各フィルタの間に配置することが望ましい。
【００６８】
次に、点Ｐ１３がフィルタＦ２よりも主光軸ＡＸ０とは反対側に位置するための条件について説明する。ここで、フィルタＦ１から点Ｐ１２までの光軸方向における距離をＤ１［ｍｍ］、点Ｐ１１から主光軸ＡＸ０までの距離をｈ１１［ｍｍ］、フィルタＦ２におけるフィルタＦ１と対向する端部から主光軸ＡＸ０までの距離をｈ１２［ｍｍ］とする。このとき、幾何条件より、以下の条件式（Ａ１）を満足すればよい。
ｈ１１−Ｄ１×｛ｔａｎω１＋ｔａｎ（ω１−２×θ１）｝＞ｈ１２  ・・・（Ａ１）
【００６９】
条件式（Ａ１）の左辺が、主光軸ＡＸ０に対する点Ｐ１３の高さを表している。条件式（Ａ１）を変形すると、以下の条件式（Ａ２）が得られる。
ｈ１１−ｈ１２＞Ｄ１×｛ｔａｎω１＋ｔａｎ（ω１−２×θ１）｝  ・・・（Ａ２）
【００７０】
さらに、Δｈ１＝ｈ１１−ｈ１２とし、条件式（Ａ２）を法線角θ１について解くと、以下の条件式（１）が導かれる。
【００７１】
【数２】
2020071327.tif 000004
【００７２】
本実施形態では、上記条件式（１）を満足するように光学面ＣＬＲ２の点Ｐ１２における法線角θ１を設定することで、フィルタＦ１からの迷光が他のフィルタに入射することを抑制している。
【００７３】
なお、光学面ＣＬＲ２の形状（サイズや曲率半径）は任意であり、光学面ＣＬＲ２を球面としても非球面（自由曲面）としてもよい。ただし、光学面ＣＬＲ２が著しく小さい曲率半径を有する球面である場合、光学面ＣＬＲ２の主光軸ＡＸ０から離れた位置を通過する光線の光路は近軸的な光路からずれるため、高次の収差が生じ易くなってしまう。光学面ＣＬＲ２の曲率半径が小さいということは、法線角θ１が大きいということを意味する。また、光学面ＣＬＲ２が非球面である場合にも、点Ｐ１２における曲率半径（局所曲率半径）が小さ過ぎると同様の問題が生じる。
【００７４】
したがって、収差補正を容易にするためには、法線角θ１をある程度小さくすることが望ましい。具体的には、以下の条件式（１ａ）を満足することが望ましい。
【００７５】
【数３】
2020071327.tif 000005
【００７６】
さらに、以下の条件式（１ｂ）〜（１ｄ）を順に満たすことがより好ましい。
【００７７】
【数４】
2020071327.tif 000006
【００７８】
【数５】
2020071327.tif 000007
【００７９】
【数６】
2020071327.tif 000008
【００８０】
なお、上述した点Ｐ１１はフィルタＦ１における任意の点を示している。このとき、フィルタＦ１における全ての点について上記条件式（１）を満足することがより好ましい。ただし、画像情報の用途によっては、ある程度ゴーストの発生を許容できる場合がある。よって、フィルタＦ１における少なくとも一つの点について上記条件式（１）を満足すれば、本実施形態の効果を得ることができる。
【００８１】
次に、図４を用いて、点Ｐ１１の位置と迷光の幅（光束幅）との関係について説明する。図４は、上記条件式（１）に基づいて、フィルタＦ２におけるフィルタＦ１と対向する端部（主光軸ＡＸ０からの高さがｈ１２の位置）に点Ｐ１３が位置するように、法線角θ１を設定した場合の模式図である。言い換えると、図４は、点Ｐ１１で反射した光線がフィルタＦ２に入射するかしないかの境界に入射する場合を示している。なお、図４では、フィルタＦ１に対する各光線の入射角が互いに等しい場合を示している。
【００８２】
図４（ａ）は、フィルタＦ１における主光軸ＡＸ０から最も離れた位置（主光軸ＡＸ０とは反対側の端部）に点Ｐ１１が位置する場合を示している。図４（ａ）において、フィルタＦ１の主光軸ＡＸ０の側の端部における点Ｐ１ｂで反射した光線は、光学面ＣＬＲ２における点Ｐ２ｂで反射して、フィルタＦ２よりも下側（遮光壁ＡＢ）の点Ｐ３ｂに入射している。このように、図４（ａ）の構成では、フィルタＦ１における全面（点Ｐ１１から点Ｐ１ｂ）で反射する迷光ＦＬの大部分がフィルタＦ２に入射してしまう。
【００８３】
この場合、迷光の画像情報への影響を低減するためには、フィルタＦ２の面積よりも遮光壁ＡＢの面積を十分に大きくすることが望ましい。なお、各フィルタの面積は、各フィルタの有効径（主光軸ＡＸ０に垂直な方向）と言い換えることができる。また、迷光ＦＬの幅はフィルタＦ１の面積によって決まるので、フィルタＦ２の有効径をフィルタＦ１の有効径よりも小さくすることが望ましい。例えば、フィルタＦ１の有効径に対するフィルタＦ２の有効径の比率を７５％とすれば、迷光ＦＬのうちの２５％はフィルタＦ２に入射せずに遮光壁ＡＢによって遮光されることになる。
【００８４】
図４（ｂ）は、主光軸ＡＸ０に垂直な方向におけるフィルタＦ１の中央に点Ｐ１１が位置する場合を示している。すなわち、図４（ｂ）で示すフィルタＦ１における点Ｐ１１よりも上側に入射する光線は、フィルタＦ２に入射しないためゴーストを生じさせる迷光にはならない。図４（ｂ）において、フィルタＦ１における点Ｐ１ｂに入射した光線は、フィルタＦ２の中程に位置する点Ｐ３ｂに入射している。
【００８５】
このとき、フィルタＦ１の全面に入射する光線（入射光線）に対する迷光ＦＬの比率は、フィルタＦ１の有効径に対する点Ｐ１１から点Ｐ１ｂまでの距離の比率で表すことができる。よって、入射光線に対してどのくらい迷光ＦＬを減らしたいのかに応じて、点Ｐ１１の位置を設定すればよい。図４（ｂ）の構成の場合、フィルタＦ１の中央に点Ｐ１１が位置するため、フィルタＦ１の有効径に対する点Ｐ１１から点Ｐ１ｂまでの距離の比率は５０％であるため、入射光線に対して迷光ＦＬを半減させることができる。よって、フィルタＦ１における主光軸ＡＸ０から最も遠い入射点（点Ｐ１１）は、フィルタＦ１における中央から主光軸ＡＸ０の側の端部（点Ｐ１ｂ）までの範囲内に位置することが望ましい。
【００８６】
なお、一般的な硝材の空気との界面における反射率は数％程度であるため、フィルタＦ１で反射した迷光ＦＬの強度は光学面ＣＬＲ２によって減衰する。例えば、光学面ＣＬＲ２の反射率が１％、入射光線に対する迷光ＦＬの比率が１０％である場合、フィルタＦ２に入射する際の迷光ＦＬの強度は、光学面ＣＬＲ２で反射する前の強度の１／１０００（０．０１×０．１）まで低減される。よって、入射光線に対する迷光ＦＬの比率が１０％以下であれば、迷光ＦＬの画像情報への影響は十分に小さいと言える。したがって、フィルタＦ１の有効径に対する点Ｐ１１から点Ｐ１ｂまでの距離の比率は、１０％以下であることがより好ましい。
【００８７】
図４（ｃ）は、フィルタＦ１の主光軸ＡＸ０の側の端部に点Ｐ１１が位置する場合、すなわち点Ｐ１１と点Ｐ１ｂが一致する場合を示している。この構成において、上記条件式（１）を満足する場合、フィルタＦ１で反射する迷光ＦＬの全てがフィルタＦ２に入射せずに、不図示の遮光壁ＡＢによって遮光されることになる。よって、本実施形態の効果をより多く得るためには、図４（ｃ）のように点Ｐ１１と点Ｐ１ｂを一致させることが好ましい。
【００８８】
上述したように、フィルタＦ１で反射する迷光ＦＬのうちフィルタＦ２に入射しない光線は、遮光壁ＡＢによって遮光することが望ましい。遮光壁ＡＢとしては、その表面に吸光特性を有する吸光材料や吸光構造が設けられたものを用いることができる。例えば、迷光ＦＬが赤外光を含む場合は、一般的な黒色の顔料では十分に迷光ＦＬを吸収することができない可能性があるため、微細凹凸構造などを採用してもよい。このとき、遮光壁ＡＢは、少なくともフィルタＦ１で反射された迷光ＦＬを吸収できるように構成すればよい。
【００８９】
図５は、図３と同様に光学面ＣＬＲ２及びフィルタアレイＦＡの一部を拡大して示した模式図である。
【００９０】
図５（ａ）は、図３とは異なり、法線角θ１がある程度大きく、点Ｐ１３がフィルタＦ１の上に位置する場合を示している。点Ｐ１２で反射した光線の波長は点Ｐ１１で反射された光線の波長と略同じであるため、点Ｐ１２からの光線の略全てが点Ｐ１３で再度反射するとみなすことができる。なお、光学部材の透過波長には角度依存性が存在するため、厳密には全ての光線が反射するわけではない。
【００９１】
点Ｐ１３で反射した光線は再び光学面ＣＬＲ２に向かうが、その殆どは主光軸ＡＸ０に対して点Ｐ１２よりも上側に入射する。図５（ａ）では、点Ｐ１３で反射した光線のうち光学面ＣＬＲ２における点Ｐ１４に入射する光線を示している。点Ｐ１４における光学面ＣＬＲ２の法線角は、通常は点Ｐ１２における光学面ＣＬＲ２の法線角θ１よりも大きくなるため、点Ｐ１４で反射した光線は主光軸ＡＸ０に対してフィルタアレイＦＡよりも上側に向かうことになる。
【００９２】
よって、各光学系を保持する保持部材の内壁に、光学面ＣＬＲ２で反射した光線を遮光するための遮光面（第２の遮光部材）ＢＳを設けることが望ましい。上述したように、迷光の波長によっては一般的な保持部材（鏡筒）では遮光できない可能性がある。そのため、遮光面ＢＳの材料は、上述した遮光壁ＡＢの材料と同様に、生じ得る迷光の波長に応じて選択することが望ましい。
【００９３】
図５（ｂ）は、図５（ａ）よりも法線角θ１が大きく、点Ｐ１３がフィルタアレイＦＡよりも上側に位置する場合を示している。この場合、点Ｐ１２で反射した光線は、図５（ａ）における点Ｐ１４で反射した光線と同様に、フィルタアレイＦＡよりも上側に向かうことになる。よって、図５（ａ）と同様に、点Ｐ１２で反射した光線を遮光するための遮光面ＢＳを設けることが望ましい。
【００９４】
図６は、点Ｐ１２における光学面ＣＬＲ２の法線角θ１が、フィルタＦ１に対する光線ＩＬ１の入射角ω１と一致する場合を示している。このとき、法線角θ１は、点Ｐ１１から点Ｐ１２に向かう光線の入射角ω１とも一致するため、点Ｐ１２で反射した光線も同じ経路を遡って点Ｐ１１に到達する。すなわち、図６では点Ｐ１１と点Ｐ１３とが一致している。点Ｐ１３で反射した光線は光学面ＣＬＲ２の点Ｐ１４に入射し、そこで反射して遮光面ＢＳにより遮光される。
【００９５】
ここで、点Ｐ１２における光学面ＣＬＲ２の曲率半径（局所曲率半径）をＲ［ｍｍ］、点Ｐ１２を含む曲率半径Ｒの仮想球面（光学面ＣＬＲ２を球面で近似したもの）からフィルタアレイＦＡまでの距離をｄ１［ｍｍ］とする。このとき、上記条件式（Ａ１）は以下の条件式（Ａ３）のように簡略化される。
ｈ１１＞（Ｒ＋ｄ１）×ｔａｎω１    ・・・（Ａ３）
【００９６】
この条件式（Ａ３）を変形すると、以下の条件式（Ａ４）が導出される。
Ｒ＜ｈ１１／ｔａｎω１−ｄ１    ・・・（Ａ４）
【００９７】
条件式（Ａ４）は上述した条件式（１）に内包されるものであり、条件式（Ａ４）を満足するように光学面ＣＬＲ２の曲率半径Ｒを設定することで、本実施形態の効果を得ることができる。なお、上記条件式（Ａ４）は以下の条件式（２）のように変形することができる。
Ｒ／ｈ１１＜１／ｔａｎω１−ｄ１／ｈ１１    ・・・（２）
【００９８】
上述したように、収差補正を容易にするためには、曲率半径Ｒをある程度大きくすることが望ましい。よって、以下の条件式（２ａ）を満足することが望ましい。
０．５≦Ｒ／ｈ１１＜１／ｔａｎω１−ｄ１／ｈ１１    ・・・（２ａ）
【００９９】
さらに、以下の条件式（２ｂ）〜（２ｄ）を順に満たすことがより好ましい。
１．０≦Ｒ／ｈ１１＜１／ｔａｎω１−ｄ１／ｈ１１    ・・・（２ｂ）
２．０≦Ｒ／ｈ１１＜１／ｔａｎω１−ｄ１／ｈ１１    ・・・（２ｃ）
２．５≦Ｒ／ｈ１１＜１／ｔａｎω１−ｄ１／ｈ１１    ・・・（２ｄ）
【０１００】
また、迷光をより良好に遮光するためには、フィルタＦ１に対する光線ＩＬ１の入射角ω１が以下の条件式（３）を満足することが望ましい。
０＜ω１≦４５    ・・・（３）
【０１０１】
ただし、フィルタＦ１の透過波長が角度依存性を有する場合、より良好な画像情報を得るためには、入射角ω１がある程度小さいことが好ましい。以下の条件式（３ａ）〜（３ｃ）を順に満たすことがより好ましい。
０＜ω１≦３０    ・・・（３ａ）
０＜ω１≦２０    ・・・（３ｂ）
０＜ω１≦１０    ・・・（３ｃ）
【０１０２】
なお、迷光の強度は、各光学面における反射回数が増えるに従って指数関数的に減衰する。上述したように、一般的な硝材の反射率は十分に低いため、迷光が光学面ＣＬＲ２とフィルタアレイＦＡとの間で十分な回数の反射を繰り返した場合は、迷光の強度は画像情報への影響が無視できるほど十分に低下することになる。ここで、迷光の強度が十分に低下する場合の反射回数を最大反射回数（最大往復回数）と呼ぶことにする。
【０１０３】
光学面ＣＬＲ２又はフィルタアレイＦＡの反射率が低ければ低いほど最大反射回数は少なくなる。一方、高い分光精度が要求される場合など、撮像素子の検知限界近くまで迷光を減衰させる必要がある場合は、最大反射回数が多くなる。上述したように、一般的な硝材の空気との界面における反射率は数％程度であるため、通常は最大反射回数が３〜４回程度になる。
【０１０４】
ただし、光線ＩＬ１が入射するフィルタに多くのフィルタが隣接している場合、反射を繰り返した迷光が何れかのフィルタを透過してしまう可能性が大きくなるため、できるだけ最大反射回数を少なくすることが望ましい。そのため、光学面ＣＬＲ２の反射率をできるだけ小さくするために、光学面ＣＬＲ２に反射防止構造を設けることが望ましい。反射防止構造としては、例えば多層膜から成る反射防止膜、微細粒子を含む材料で構成される微細粒子膜、モスアイなどと呼ばれる微細凹凸構造などを採用することができる。
【０１０５】
あるいは、迷光が隣接するフィルタに入射する可能性を低減するためには、上述した各条件式を満足するフィルタＦ１を、フィルタアレイＦＡにおいて主光軸ＡＸ０から最も遠い位置に配置することが望ましい。言い換えると、フィルタＦ１における点Ｐ１１に入射する光線ＩＬ１は、撮像画角のうち主光軸ＡＸ０から最も離れた（最も外側の）光線（最軸外光線）であることが望ましい。
【０１０６】
上述したように、フィルタアレイＦＡは透過波長域の中心波長が互いに異なる複数のフィルタを含んでいてもよい。このとき、フィルタの透過波長域の中心波長が短くなるほどそれに対応するレンズ部の収差（色収差）の補正が難しくなる。そのため、短波長域に対応するフィルタを主光軸ＡＸ０から離れた位置に配置した場合、透過波長に起因する収差に偏心収差が合わさってしまい、短波長域に対応する良好な画像情報を得ることが困難になってしまう。よって、短波長域に対応するフィルタを長波長域に対応するフィルタよりも主光軸ＡＸ０に近い位置に配置することが望ましい。
【０１０７】
例えば、フィルタＦ１とフィルタＦ２の透過波長域の中心波長が互いに異なる場合は、主光軸ＡＸ０からより遠い位置に配置されるフィルタＦ１の透過波長域の中心波長を、フィルタＦ２の透過波長域の中心波長よりも長くすることが望ましい。また、像面に配置される一般的な撮像素子の感度は、長波長域よりも短波長域の方で高くなることが知られている。よって、上述したようにフィルタＦ１とフィルタＦ２を設定した場合、撮像素子のフィルタＦ２の透過波長域の中心波長に対する感度は、フィルタＦ１の透過波長域の中心波長に対する感度よりも高くなる。
【０１０８】
なお、フィルタアレイＦＡが透過波長域の中心波長が互いに異なる複数のフィルタを含む場合、一部のフィルタについてのみ上述した各条件式を満足するだけでも本実施形態の効果を得ることができる。ただし、各フィルタの組み合わせや配置によらず効果を得るためには、全てのフィルタについて上述した各条件式を満足することが望ましい。
【０１０９】
また、上述したように、吸収型のバンドパスフィルタよりも干渉型のバンドパスフィルタの方が、より大きな角度依存性を有し、かつ反射による迷光を生じさせ易い。よって、フィルタアレイＦＡが干渉型のバンドパスフィルタを有する場合、それについて上述した各条件式を満足することが望ましい。すなわち、図２に示したように、フィルタアレイＦＡがレンズアレイＬＡよりも物体側に配置されている場合に、より大きな効果を得ることができる。
【０１１０】
また、本実施形態においては、光学面ＣＬＲ２がフィルタアレイＦＡよりも物体側において（光学系ＣＬにおいて）最もフィルタアレイＦＡに近い位置に配置されている場合について説明したが、この構成に限られるものではない。例えば、必要に応じて、光学面ＣＬＲ２とフィルタアレイＦＡとの間にカバーガラス（平板ガラス）などの光学素子を配置してもよい。ただし、本実施形態の効果をより多く得るためには、光学面ＣＬＲ２は、フィルタアレイＦＡ（第１の光学部）よりも物体側に配置されたパワーを有する光学面のうち、フィルタアレイＦＡに最も近い位置に配置される光学面であることが望ましい。
【０１１１】
以上の説明においては、物体からの光線がフィルタＦ１に対して主光軸ＡＸ０とは反対側から入射する場合について考えていたが、物体からの光線がフィルタＦ２に対して主光軸ＡＸ０と同じ側から入射する場合についても同様に考えることができる。このことについて以下で詳細に説明する。
【０１１２】
図７は、図３と同様に光学面ＣＬＲ２及びフィルタアレイＦＡの一部を拡大して示した模式図である。図７では、図３とは異なり、物体側からの光線のうち、フィルタＦ２における点Ｐ２１（第３の点）に対して主光軸ＡＸ０と同じ側（下側）から入射する光線ＩＬ２の光路を示している。
【０１１３】
点Ｐ２１に入射した光線ＩＬ２のうちフィルタＦ２の透過波長域以外の光線は、点Ｐ２１で反射して光学面ＣＬＲ２における点Ｐ２２（第４の点）に入射する。ここで、点Ｐ２１に入射する光線ＩＬ２と主光軸ＡＸ０との成す角度（フィルタＦ２に対する光線ＩＬ２の入射角）をω２［ｄｅｇ］とするとき、反射の法則よりフィルタＦ２に対する光線ＩＬ２の反射角もω２［ｄｅｇ］となる。点Ｐ２２に入射した光線ＩＬ２の一部は、反射してフィルタアレイＦＡにおける点Ｐ２３に入射する。
【０１１４】
点Ｐ２２における光学面ＣＬＲ２の法線と主光軸ＡＸ０との成す角度（点Ｐ２２の法線角）をθ２［ｄｅｇ］とするとき、反射の法則より、点Ｐ２２で反射した光線ＩＬ２と主光軸ＡＸ０との成す角度はω２＋２×θ２となる。フィルタＦ２から点Ｐ２２までの光軸方向における距離をＤ２［ｍｍ］、フィルタＦ１におけるフィルタＦ２と対向する端部から主光軸ＡＸ０までの距離をｈ２１［ｍｍ］、点Ｐ２１から主光軸ＡＸ０までの距離をｈ２２［ｍｍ］とする。このとき、フィルタＦ２からの迷光が他のフィルタに入射することを抑制するためには、以下の条件式（Ｂ１）を満足すればよい。
ｈ２２＋Ｄ２×｛ｔａｎω２＋ｔａｎ（ω２＋２×θ２）｝＜ｈ２１  ・・・（Ｂ１）
【０１１５】
条件式（Ｂ１）の左辺が、主光軸ＡＸ０に対する点Ｐ２３の高さを表している。条件式（Ｂ１）を変形すると、以下の条件式（Ｂ２）が得られる。
Ｄ２×｛ｔａｎω２＋ｔａｎ（ω２＋２×θ２）｝＜ｈ２１−ｈ２２  ・・・（Ｂ２）
【０１１６】
さらに、Δｈ２＝ｈ２１−ｈ２２とし、条件式（Ｂ２）を法線角θ２について解くと、以下の条件式（４）が導かれる。
【０１１７】
【数７】
2020071327.tif 000009
【０１１８】
したがって、条件式（４）を満足するように光学面ＣＬＲ２の点Ｐ２２における法線角θ２を設定することが望ましい。点Ｐ２１の望ましい位置や、各フィルタの望ましい有効径などについては、図４乃至図６での説明と同様に考えることができる。上述した条件式（１）及び条件式（４）の少なくとも一方を満足すれば本実施形態の効果を得ることができるが、両方の条件式を満足することがより好ましい。なお、条件式（１）のみに着目する場合、ω１、θ１、Ｄ１、ｈ１１、ｈ１２、及びΔｈ１の夫々を、ω、θ、Ｄ、ｈ１、ｈ２、及びΔｈに置き換えてもよい。また、条件式（４）のみに着目する場合、点Ｐ２１を第１の点、点Ｐ２２を第２の点とし、ω２、θ２、Ｄ２、ｈ２１、ｈ２２、及びΔｈ２の夫々を、ω、θ、Ｄ、ｈ１、ｈ２、及びΔｈに置き換えてもよい。
【０１１９】
図７に示したように、隣接する二つのフィルタのうち主光軸ＡＸ０に近い方（フィルタＦ２）で反射する迷光に着目する場合、光学面ＣＬＲ２をフィルタアレイＦＡに可能な限り近接させることが望ましい。このように構成することで、主光軸ＡＸ０（フィルタアレイＦＡの中心）に近いフィルタで反射した迷光については、それよりも主光軸ＡＸ０から遠いフィルタで反射した迷光と比較して、反射回数が大幅に多くなる。光学面ＣＬＲ２とフィルタアレイＦＡとの間での迷光の反射回数が増えることで、上述した最大反射回数を超えて迷光の強度が十分に低下するか、略全ての迷光が遮光壁ＡＢにより遮光される。
【０１２０】
具体的には、主光軸ＡＸ０上における光学面ＣＬＲ２からフィルタアレイＦＡまでの距離をｄ２［ｍｍ］とするとき、以下の条件式（５）を満足することが望ましい。なお、光学面ＣＬＲ２が球面である場合は、上述したｄ１とｄ２とは一致する。
１．００×１０−３＜ｄ２／ｈ２１＜２．００    ・・・（５）
【０１２１】
条件式（５）の上限値を上回ると、光学面ＣＬＲ２がフィルタアレイＦＡから離れ過ぎてしまい、主光軸ＡＸ０に近い方の（内側の）フィルタで反射した迷光が、それよりも主光軸ＡＸ０から遠い（外側の）フィルタに入射する可能性が高くなってしまう。また、光学面ＣＬＲ２の有効径に対して全系の長さが長くなってしまい、装置全体の小型化が難しくなる。条件式（５）の下限値を下回ると、光学面ＣＬＲ２がフィルタアレイＦＡに近づき過ぎてしまい、各部材が干渉してしまう可能性が生じる。特に、フィルタアレイＦＡを交換可能とする場合、フィルタアレイＦＡを挿抜する際に、各部材が接触し易くなってしまう。
【０１２２】
さらに、以下の条件式（５ａ）〜（５ｄ）を順に満たすことがより好ましい。
１．００×１０−３＜ｄ２／ｈ２１＜１．７３    ・・・（５ａ）
５．００×１０−３＜ｄ２／ｈ２１＜１．７０    ・・・（５ｂ）
１．００×１０−２＜ｄ２／ｈ２１＜１．６８    ・・・（５ｃ）
０．１５＜ｄ２／ｈ２１＜１．００             ・・・（５ｄ）
【０１２３】
［実施例］
以下、実施例に係る撮像システムについて説明するが、上述した実施形態と同等の構成については説明を省略する。図８乃至図１０の夫々は、実施例１乃至３に係る撮像システムの主光軸を含む断面における要部概略図である。図８乃至図１０では、上述した光学系ＣＬ、レンズアレイＬＡ、及び撮像素子が互いに同一の保持部材により保持されており、その保持部材に対してフィルタアレイＦＡが着脱可能である構成を示している。ただし、上述したように、各部材は互いに着脱可能であってもよいし、互いに一体的に保持されていてもよい。
【０１２４】
各実施例において、光学系ＣＬの構成及び配置は互いに異なるが、フィルタアレイＦＡ及びレンズアレイＬＡは互いに同一の構成を採っている。実施例１に係る光学系ＣＬは、物体側から順に配置された両凹レンズ及び両凸レンズで構成されている。実施例２に係る光学系ＣＬは、物体側から順に配置された、像側に凸面を向けた負メニスカスレンズ、像側に凸面を向けた正メニスカスレンズ、及び両凸レンズで構成されている。実施例３に係る光学系ＣＬは、物体側から順に配置された、物体側に凸面を向けた負メニスカスレンズ及び像側に凸面を向けた正メニスカスレンズで構成されている。このように、光学系ＣＬに正レンズ及び負レンズを設けることで、色収差をより良好に補正することができる。
【０１２５】
実施例３では、光学系ＣＬにおける最も像側のレンズ（最終レンズ）の物体側及び像側の両方の光学面を、ともに像側に向かって凸形状としている。すなわち、この各光学面は、フィルタアレイＦＡで反射された迷光に対して負のパワーを有する反射面であるとみなすことができる。この構成によれば、光学系ＣＬにおける最終レンズの各光学面によって迷光を拡散させることができるため、フィルタアレイＦＡに再入射する迷光の強度を低下させることが可能になる。
【０１２６】
以下、上述した実施例１乃至３に対応する数値実施例１乃至３を示す。各数値実施例において、面番号は中間像面ＩＭ１から数えたときの各光学面の順番である。ｒ［ｍｍ］は第ｉ番目の光学面の曲率半径を示し、ｄ［ｍｍ］は第ｉ番目の光学面と第（ｉ＋１）番目の光学面の間隔を示す。また、ｎｄ及びνｄは、第ｉ番目の光学面と第（ｉ＋１）番目の光学面の間の媒質（材料）の波長５８７．６ｎｍの光（ｄ線）に対する屈折率及びアッベ数を示す。なお、各数値実施例においては、光学系ＣＬのデータのみを示しており、フィルタアレイＦＡから像面ＩＰ２に至るデータについては省略している。
【０１２７】
（数値実施例１）
単位  ｍｍ
面データ
面番号       r        d      nd         vd
0(IM1)    ∞       58.50
1        -75.496    1.50   1.74000    28.3
2         18.691    8.41
3         99.592    6.59   1.58913    61.1
4        -18.579    5.00
5(FA)     ∞
【０１２８】
（数値実施例２）
単位  ｍｍ
面データ
面番号       r        d      nd         vd
0(IM1)    ∞       58.50
1        -13.802    5.12   1.70585    30.2
2       -358.240    2.47
3        -37.751    8.00   1.64100    56.9
4        -18.529    0.25
5         52.898    2.00   1.62041    60.3
6       -205.000    0.50
5(FA)     ∞
【０１２９】
（数値実施例３）
単位  ｍｍ
面データ
面番号       r        d      nd         vd
0(IM1)    ∞       58.50
1        123.334    1.50   1.75520    27.5
2         23.018   15.72
3       -100.000    4.08   1.62041    60.3
4        -20.865    5.00
5(FA)     ∞
【０１３０】
表１に、各実施例（各数値実施例）における各条件式に関する数値を示す。表１では、ω１＝ω２であり、点Ｐ１１がフィルタＦ１のフィルタＦ２の側の端部（下端）に位置し（ｈ１１＝ｈ２１）、点Ｐ２１がフィルタＦ２のフィルタＦ１の側の端部（上端）に位置する（ｈ１２＝ｈ２２）場合を示している。上述したように、この場合において条件式（１）及び（４）を満たすことにより、点Ｐ１１及び点Ｐ２１の位置によらず条件式（１）及び（４）を満たすことになる。
【０１３１】
表１に示すように、何れの実施例についても、条件式（１）及び（４）の少なくとも一方を満足している。また、実施例１，３については、条件式（１）及び（４）以外の全ての条件式を満足している。なお、実施例２については、条件式（Ａ４）及び（２）を満足していないが、他の条件式を満足することでゴーストの発生を良好に抑制できている。
【０１３２】
【表１】
2020071327.tif 000010
【０１３３】
［変形例］
以上、本発明の好ましい実施形態及び実施例について説明したが、本発明はこれらの実施形態及び実施例に限定されず、その要旨の範囲内で種々の組合せ、変形及び変更が可能である。
【０１３４】
上述した実施形態では、レンズ部が開口絞りの役割を兼ねている場合、すなわちレンズ部の有効径がレンズ部自身によって定まる場合について説明したが、開口絞りを別部材として設けてもよい。また、一つの結像部において、レンズ部が複数のレンズを含む場合や、フィルタが複数のフィルタ素子を含む場合は、レンズ及びフィルタ素子を光軸方向において交互に配置してもよい。
【０１３５】
さらに、レンズ部の瞳をＸＹ断面において分割するように配置される複数のフィルタを備える結像部を採用してもよい。このとき、撮像面におけるその結像部に対応する領域に微小なレンズアレイを設けることで、撮像システムをプレノプティックカメラとして用いることができる。この構成によれば、一つのレンズ部の瞳を通過する光が分離されて、撮像面における互いに異なる画素に入射するため、より多くの画像情報を取得することが可能になる。なお、光学系ＣＬがミラー（反射素子）を有する構成を採ってもよい。
【符号の説明】
【０１３６】
ＬＡ  複数のレンズ部（第１の光学部）
ＦＡ  複数のフィルタ（第１の光学部）
ＣＬ  第２の光学部
【図１】
2020071327.tif 000014
【図２】
2020071327.tif 000015
【図３】
2020071327.tif 000016
【図４】
2020071327.tif 000017
【図５】
2020071327.tif 000018
【図６】
2020071327.tif 000019
【図７】
2020071327.tif 000020
【図８】
2020071327.tif 000021
【図９】
2020071327.tif 000022
【図１０】
2020071327.tif 000023